(57)【要約】【課題】熱交換器による温度調整と、輻射部材による温度調整とを連動させることが可能な温調装置を提供する。【解決手段】圧縮機１１と、膨張弁１４と、室外機１２に設けられた第１の熱交換器１３と、熱交換により室内空気を加熱又は冷却する第２の熱交換器１５とを接続して、冷媒を循環させる冷媒循環回路１６を有する温調装置１０であって、室内に配置された輻射部材２８が設けられ、ポンプ２９の作動によって熱媒水が循環する熱媒水循環回路１７と、冷媒循環回路１６に接続されたバイパス路２４を流れる冷媒と熱媒水循環回路１７を循環する熱媒水とを熱交換する第３の熱交換器２３と、設定温度を基に圧縮機１１、膨張弁１４及びポンプ２９の動作を制御する制御手段２２とを備え、輻射部材２８は、第３の熱交換器２３により熱交換され熱媒水循環回路１７を循環する熱媒水と室内空気の熱交換によって、室内空気を加熱又は冷却する。【選択図】図１
2020070940.tif 000002
【特許請求の範囲】
【請求項１】
圧縮機と、膨張弁と、室外機に設けられた第１の熱交換器と、熱交換により室内空気を加熱又は冷却する第２の熱交換器とを接続して、冷媒を循環させる冷媒循環回路を有する温調装置であって、
室内に配置された輻射部材が設けられ、ポンプの作動によって熱媒水が循環する熱媒水循環回路と、前記冷媒循環回路に接続されたバイパス路を流れる前記冷媒と前記熱媒水循環回路を循環する前記熱媒水とを熱交換する第３の熱交換器と、設定温度を基に前記圧縮機、前記膨張弁及び前記ポンプの動作を制御する制御手段とを備え、前記輻射部材は、前記第３の熱交換器により熱交換され前記熱媒水循環回路を循環する前記熱媒水と室内空気の熱交換によって、室内空気を加熱又は冷却することを特徴とする温調装置。
【請求項２】
請求項１記載の温調装置において、前記制御手段は、前記第２の熱交換器による室内空気の加熱又は冷却を、前記輻射部材による室内空気の加熱又は冷却より優先して、室内の温度調整を開始させることを特徴とする温調装置。
【請求項３】
請求項１又は２記載の温調装置において、室内温度を計測する温度計を更に備え、前記制御手段は、前記第２の熱交換器による室内空気の冷却を行っている際に、前記温度計の計測温度が前記設定温度に所定温度Ｊを加えた温度以下であるのを検知して、１）前記輻射部材による室内空気の冷却を行っていなかった場合、前記第２の熱交換器による室内空気の冷却を停止し又は冷却レベルを下げて継続し、前記輻射部材による室内空気の冷却を開始し、２）前記輻射部材による室内空気の冷却を行っていた場合、前記第２の熱交換器による室内空気の冷却を停止し又は冷却レベルを下げて継続し、前記輻射部材による室内空気の冷却レベルを上げることを特徴とする温調装置。
【請求項４】
請求項１又は２記載の温調装置において、室内温度を計測する温度計を更に備え、前記制御手段は、前記第２の熱交換器による室内空気の加熱を行っている際に、前記温度計の計測温度が前記設定温度から所定温度Ｋを差し引いた温度以上であるのを検知して、１）前記輻射部材による室内空気の加熱を行っていなかった場合、前記第２の熱交換器による室内空気の加熱を停止し又は加熱レベルを下げて継続し、前記輻射部材による室内空気の加熱を開始し、２）前記輻射部材による室内空気の加熱を行っていた場合、前記第２の熱交換器による室内空気の加熱を停止し又は加熱レベルを下げて継続し、前記輻射部材による室内空気の加熱レベルを上げることを特徴とする温調装置。
【請求項５】
請求項１又は２記載の温調装置において、室内温度を計測する温度計を更に備え、前記制御手段は、前記輻射部材による室内空気の冷却を行っている際に、前記温度計の計測温度が前記設定温度に所定温度Ｐを加えた温度以上であるのを検知して、１）前記第２の熱交換器による室内空気の冷却を行っていなかった場合、前記輻射部材による室内空気の冷却を停止し又は継続しつつ、前記第２の熱交換器による室内空気の冷却を開始し、２）前記第２の熱交換器による室内空気の冷却を行っていた場合、前記輻射部材による室内空気の冷却を停止し又は継続しつつ、前記第２の熱交換器による室内空気の冷却レベルを上げることを特徴とする温調装置。
【請求項６】
請求項１又は２記載の温調装置において、室内温度を計測する温度計を更に備え、前記制御手段は、前記輻射部材による室内空気の加熱を行っている際に、前記温度計の計測温度が前記設定温度から所定温度Ｌを差し引いた温度以下であるのを検知して、１）前記第２の熱交換器による室内空気の加熱を行っていなかった場合、前記輻射部材による室内空気の加熱を停止し又は継続しつつ、前記第２の熱交換器による室内空気の加熱を開始し、２）前記第２の熱交換器による室内空気の加熱を行っていた場合、前記輻射部材による室内空気の加熱を停止し又は継続しつつ、前記第２の熱交換器による室内空気の加熱レベルを上げることを特徴とする温調装置。
【請求項７】
請求項１又は２記載の温調装置において、室内温度を計測する温度計を更に備え、前記第２の熱交換器は、熱交換による室内空気の除湿が可能であり、前記制御手段は、前記第２の熱交換器による室内空気の除湿を行っている際に、前記温度計の計測温度が前記設定温度に所定温度Ｍを加えた温度以下であるのを検知して、１）前記輻射部材による室内空気の冷却を行っていなかった場合、前記第２の熱交換器による室内空気の除湿を停止し又は除湿レベルを下げて継続し、前記輻射部材による室内空気の冷却を開始し、２）前記輻射部材による室内空気の冷却を行っていた場合、前記第２の熱交換器による室内空気の除湿を停止し又は除湿レベルを下げて継続し、前記輻射部材による室内空気の冷却レベルを上げることを特徴とする温調装置。
【請求項８】
請求項１又は２記載の温調装置において、室内温度を計測する温度計を更に備え、前記第２の熱交換器及び前記輻射部材はそれぞれ、熱交換による室内空気の除湿が可能であり、前記制御手段は、前記輻射部材による室内空気の除湿を行っている際に、前記温度計の計測温度が前記設定温度に所定温度Ｎを加えた温度以上であるのを検知して、１）前記第２の熱交換器による室内空気の除湿を行っていなかった場合、前記輻射部材による室内空気の除湿を停止し又は継続しつつ、前記第２の熱交換器による室内空気の除湿を開始し、２）前記第２の熱交換器による室内空気の除湿を行っていた場合、前記輻射部材による室内空気の除湿を停止し又は継続しつつ、前記第２の熱交換器による室内空気の除湿レベルを上げることを特徴とする温調装置。
【請求項９】
請求項１又は２記載の温調装置において、室内湿度を計測する湿度計を更に備え、前記制御手段は、前記第２の熱交換器による室内空気の冷却を行っている際に、前記湿度計の計測湿度が設定湿度に所定湿度Ｃを加えた湿度以下であるのを検知して、１）前記輻射部材による室内空気の冷却を行っていなかった場合、前記第２の熱交換器による室内空気の冷却を停止し又は冷却レベルを下げて継続し、前記輻射部材による室内空気の冷却を開始すし、２）前記輻射部材による室内空気の冷却を行っていた場合、前記第２の熱交換器による室内空気の冷却を停止し又は冷却レベルを下げて継続し、前記輻射部材による室内空気の冷却レベルを上げることを特徴とする温調装置。
【請求項１０】
請求項１又は２記載の温調装置において、室内湿度を計測する湿度計を更に備え、前記制御手段は、前記第２の熱交換器による室内空気の加熱を行っている際に、前記湿度計の計測湿度が設定湿度に所定湿度Ｄを加えた湿度以下であるのを検知して、１）前記輻射部材による室内空気の加熱を行っていなかった場合、前記第２の熱交換器による室内空気の加熱を停止し又は加熱レベルを下げて継続し、前記輻射部材による室内空気の加熱を開始し、２）前記輻射部材による室内空気の加熱を行っていた場合、前記第２の熱交換器による室内空気の加熱を停止し又は加熱レベルを下げて継続し、前記輻射部材による室内空気の加熱レベルを上げることを特徴とする温調装置。
【請求項１１】
請求項１又は２記載の温調装置において、室内湿度を計測する湿度計を更に備え、前記制御手段は、前記輻射部材による室内空気の冷却を行っている際に、前記湿度計の計測湿度が設定湿度に所定湿度Ｅを加えた湿度以上であるのを検知して、１）前記第２の熱交換器による室内空気の冷却を行っていなかった場合、前記輻射部材による室内空気の冷却を停止し又は継続しつつ、前記第２の熱交換器による室内空気の冷却を開始し、２）前記第２の熱交換器による室内空気の冷却を行っていた場合、前記輻射部材による室内空気の冷却を停止し又は継続しつつ、前記第２の熱交換器による室内空気の冷却レベルを上げることを特徴とする温調装置。
【請求項１２】
請求項１又は２記載の温調装置において、室内湿度を計測する湿度計を更に備え、前記制御手段は、前記輻射部材による室内空気の加熱を行っている際に、前記湿度計の計測湿度が設定湿度に所定湿度Ｆを加えた湿度以上であるのを検知して、１）前記第２の熱交換器による室内空気の加熱を行っていなかった場合、前記輻射部材による室内空気の加熱を停止し又は加熱レベルを下げて継続し、前記第２の熱交換器による室内空気の加熱を開始し、２）前記第２の熱交換器による室内空気の加熱を行っていた場合、前記輻射部材による室内空気の加熱を停止し又は加熱レベルを下げて継続し、前記第２の熱交換器による室内空気の加熱レベルを上げることを特徴とする温調装置。
【請求項１３】
請求項１又は２記載の温調装置において、室内湿度を計測する湿度計を更に備え、前記第２の熱交換器は、熱交換による室内空気の除湿が可能であり、前記制御手段は、前記第２の熱交換器による室内空気の除湿を行っている際に、前記湿度計の計測湿度が設定湿度に所定湿度Ｇを加えた湿度以下であるのを検知して、１）前記輻射部材による室内空気の冷却を行っていなかった場合、前記第２の熱交換器による室内空気の除湿を停止し又は除湿レベルを下げて継続し、前記輻射部材による室内空気の冷却を開始し、２）前記輻射部材による室内空気の冷却を行っていた場合、前記第２の熱交換器による室内空気の除湿を停止し又は除湿レベルを下げて継続し、前記輻射部材による室内空気の冷却レベルを上げることを特徴とする温調装置。
【請求項１４】
請求項１又は２記載の温調装置において、室内湿度を計測する湿度計を更に備え、前記第２の熱交換器は、熱交換による室内空気の除湿が可能であり、前記制御手段は、前記輻射部材による室内空気の冷却を行っている際に、前記湿度計の計測湿度が設定湿度に所定湿度Ｈを加えた湿度以上であるのを検知して、１）前記第２の熱交換器による室内空気の除湿を行っていなかった場合、前記輻射部材による室内空気の冷却を停止し又は継続しつつ、前記第２の熱交換器による室内空気の除湿を開始し、２）前記第２の熱交換器による室内空気の除湿を行っていた場合、前記輻射部材による室内空気の冷却を停止し又は継続しつつ、前記第２の熱交換器による室内空気の除湿レベルを上げることを特徴とする温調装置。
【請求項１５】
請求項１〜１４のいずれか１項に記載の温調装置において、前記輻射部材による室内空気の加熱又は冷却が行われる際に作動するファンが、室内に設けられていることを特徴とする温調装置。
【発明の詳細な説明】
【技術分野】
【０００１】
本発明は、室内の温度を調整する温調装置に関する。
【背景技術】
【０００２】
従来、室内の温度調整には、室内機及び室外機を接続した循環回路を流れる冷媒と室内空気とを熱交換して室内を温度調整する装置（特許文献１参照）や、ヒートポンプサイクル等を用いて加熱又は冷却した熱媒水を室内に設置された輻射部材に流して室内を温度調整する装置（特許文献２参照）が利用されている。前者の装置は、急速な温度調整が可能であるが、温度調整した空気を室内機から吹き出し風を発生させるので、風が当たる利用者に不快感を与えることがある。一方、後者の装置は温度調整のために風を生じさせないが、急速な温度調整ができない。
【先行技術文献】
【特許文献】
【０００３】
【特許文献１】特開２０１８−１３２２１０号公報
【特許文献２】特開２０１６−５７０４０号公報
【発明の概要】
【発明が解決しようとする課題】
【０００４】
本発明は、かかる事情に鑑みてなされるもので、熱交換器による室内空気と冷媒の熱交換によって行う温度調整と、輻射部材に熱媒水を流して行う温度調整とを連動させることが可能な温調装置を提供することを目的とする。
【課題を解決するための手段】
【０００５】
前記目的に沿う本発明に係る温調装置は、圧縮機と、膨張弁と、室外機に設けられた第１の熱交換器と、熱交換により室内空気を加熱又は冷却する第２の熱交換器とを接続して、冷媒を循環させる冷媒循環回路を有する温調装置であって、室内に配置された輻射部材が設けられ、ポンプの作動によって熱媒水が循環する熱媒水循環回路と、前記冷媒循環回路に接続されたバイパス路を流れる前記冷媒と前記熱媒水循環回路を循環する前記熱媒水とを熱交換する第３の熱交換器と、設定温度を基に前記圧縮機、前記膨張弁及び前記ポンプの動作を制御する制御手段とを備え、前記輻射部材は、前記第３の熱交換器により熱交換され前記熱媒水循環回路を循環する前記熱媒水と室内空気の熱交換によって、室内空気を加熱又は冷却する。
【発明の効果】
【０００６】
本発明に係る温調装置は、圧縮機、膨張弁、室外機に設けられた第１の熱交換器、及び、熱交換により室内空気を加熱又は冷却する第２の熱交換器を接続して、冷媒を循環させる冷媒循環回路と、室内に設置された輻射部材が設けられ、ポンプの作動によって熱媒水が循環する熱媒水循環回路と、冷媒循環回路に接続されたバイパス路を流れる冷媒と熱媒水循環回路を循環する熱媒水とを熱交換する第３の熱交換器と、設定温度を基に圧縮機、膨張弁及びポンプの動作を制御する制御手段とを備え、輻射部材が、第３の熱交換器により熱交換され熱媒水循環回路を循環する熱媒水によって、室内空気を加熱又は冷却するので、制御手段によって、第２の熱交換器の熱交換を利用した室内空気の加熱又は冷却と、輻射部材を利用した室内空気の加熱又は冷却とのいずれか一方又は双方を担う圧縮機、膨張弁及びポンプの動作の制御が可能であり、第２の熱交換器による熱交換によって行う温度調整と輻射部材に熱媒水を流して行う温度調整とを連動させることができる。
【図面の簡単な説明】
【０００７】
【図１】本発明の一実施の形態に係る温調装置の回路図である。
【図２】第２の熱交換器の熱交換によって室内空気を加熱する様子を示す説明図である。
【図３】第２の熱交換器の熱交換によって室内空気を冷却する様子を示す説明図である。
【図４】制御手段の接続を示すブロック図である。
【図５】輻射部材に熱媒水を流すことによって室内空気を加熱する様子を示す説明図である。
【図６】輻射部材に熱媒水を流すことによって室内空気を冷却する様子を示す説明図である。
【発明を実施するための形態】
【０００８】
続いて、添付した図面を参照しつつ、本発明を具体化した実施の形態につき説明し、本発明の理解に供する。
図１に示すように、本発明の一実施の形態に係る温調装置１０は、圧縮機１１、膨張弁１４、室外機１２に設けられた熱交換器１３（第１の熱交換器）、及び、熱交換により室内空気を加熱又は冷却する熱交換器１５（第２の熱交換器）を接続して、冷媒を循環させる冷媒循環回路１６を有し、更に、熱媒水が循環する熱媒水循環回路１７を有し、室内を温度調整する装置である。以下、詳細に説明する。
【０００９】
冷媒循環回路１６内には冷媒が充填されており、冷媒は、圧縮機１１の作動により、冷媒循環回路１６を循環する。圧縮機１１は冷媒を高圧状態にして吐出し、熱交換器１３は熱交換器１３を通過する冷媒と外気を熱交換する。膨張弁１４は冷媒を減圧し、室内機１８に設けられた熱交換器１５は熱交換器１５を通過する冷媒と室内空気を熱交換する。室内機１８の設置場所は、リビングルームやベッドルーム等、人の居住空間であってもよいし、屋根裏空間や、床下空間や、壁内に設けた空間等であってもよい。
【００１０】
冷媒循環回路１６に設けられた四方弁１９は冷媒が循環する方向を切り替える。圧縮機１１から吐出された冷媒が、図２に示すように、四方弁１９、熱交換器１５、膨張弁１４、熱交換器１３及び四方弁１９を順に通過して圧縮機１１に流入することによって、冷媒が熱交換器１５を通過中に凝縮して（熱交換器１５による冷媒と室内空気の熱交換器によって）室内空気を加熱する暖房運転となる。そして、圧縮機１１から吐出された冷媒が、図３に示すように、四方弁１９、熱交換器１３、膨張弁１４、熱交換器１５及び四方弁１９を順に通過して圧縮機１１に流入することによって、冷媒が熱交換器１５を通過中に蒸発して（熱交換器１５による冷媒と室内空気の熱交換器によって）室内空気を冷却する冷房運転となる。
【００１１】
また、本実施の形態では、冷房運転時に熱交換器１５表面で生じる結露（結露水）が外部に排出される設計を室内機１８に採用している。よって、熱交換器１５は熱交換により室内空気を除湿することもできる。以下、熱交換器１５による熱交換によって行う室内空気の加熱を、熱交換器１５による室内空気の加熱と言い、熱交換器１５による熱交換によって行う室内空気の冷却を、熱交換器１５による室内空気の冷却と言い、熱交換器１５による熱交換によって行う室内空気の除湿を、熱交換器１５による室内空気の除湿と言う。なお、本実施の形態では、熱交換器１５による室内空気の冷却と除湿とが同時に行われるが、熱交換器１５による室内空気の冷却と除湿とをそれぞれ別個に行うようにしてもよいことは言うまでもない。
【００１２】
本実施の形態では、図１に示すように、室外機１２に熱交換器１３の熱交換を促進するプロペラファン２０が設けられ、室内機１８に室内機１８内に取り込んだ空気を室内機１８外に送り出すクロスフローファン２１が設けられている。
そして、圧縮機１１、膨張弁１４、四方弁１９、プロペラファン２０及びクロスフローファン２１は、図４に示すように、マイクロコンピュータ等によって構成される制御手段２２に接続されている。制御手段２２は、圧縮機１１、膨張弁１４、四方弁１９、プロペラファン２０及びクロスフローファン２１に対し指令信号を送信してそれらの動作を制御する。なお、冷媒循環回路１６には、図１に示すように、四方弁１９と圧縮機１１の冷媒の流入側の間にアキュムレータ２６が設けられている。
【００１３】
また、冷媒循環回路１６には、熱交換器２３（第３の熱交換器、本実施の形態では水熱交換器）を接続するバイパス路２４が接続されている。バイパス路２４は、一端が冷媒循環回路１６の四方弁１９と熱交換器１５の間の領域に連結され、他端が冷媒循環回路１６の膨張弁１４と熱交換器１３の間の領域に連結されている。バイパス路２４には、図１、図４に示すように、制御手段２２に接続された膨張弁２５が設けられている。
【００１４】
膨張弁２５は、制御手段２２からの指令信号の送信によって、冷媒が膨張弁２５を通過できないようにする閉状態と、膨張弁２５を通過する冷媒を減圧する減圧状態とが切り替えられる。膨張弁２５が閉状態になると、バイパス路２４に冷媒が流入せず、膨張弁２５が減圧状態になると、バイパス路２４に冷媒が流入してバイパス路２４の一端から他端に向かって冷媒が流れる。
膨張弁１４は、制御手段２２から指令信号が送信されて、冷媒が膨張弁１４を通過できないようにする閉状態と、膨張弁１４を通過する冷媒を減圧する減圧状態とが切り替えられる。熱交換器１５による熱交換によって冷房運転や暖房運転を行う際、膨張弁１４は減圧状態にされる。
【００１５】
また、熱交換器２３には、冷房が可能な放熱器（輻射部材の一例）２８に接続された熱媒水循環回路１７が接続されている。放熱器２８は、室内に配置されており、平行配置された複数のパイプを有し、これらのパイプ内を熱媒水が流れることによって、室内温度を低下させ、又は、室内温度を上昇させる。
熱媒水循環回路１７には、水又は不凍液からなる熱媒水が注入されており、熱媒水循環回路１７に設けられたポンプ２９の作動により、熱媒水が熱媒水循環回路１７を循環する。
【００１６】
ポンプ２９は、図４に示すように、制御手段２２に接続されており、制御手段２２は、指令信号の送信により、必要に応じてポンプ２９を作動させ、あるいは、停止させる（即ち、制御手段２２はポンプ２９の動作を制御する）。なお、熱媒水循環回路１７には、熱媒水を蓄えるタンク３０が設けられている。
【００１７】
熱交換器２３は、バイパス路２４を冷媒が流れ、熱媒水循環回路１７を熱媒水が循環している状態で、冷媒と熱媒水を熱交換する。
膨張弁２５が減圧状態であり、圧縮機１１から吐出された冷媒が、図５に示すように、四方弁１９、熱交換器２３、膨張弁２５、熱交換器１３及び四方弁１９を順に通過して圧縮機１１に流入し、かつ、熱媒水が熱媒水循環回路１７を循環している際、熱媒水循環回路１７を循環する熱媒水は、熱交換器２３を通過中にバイパス路２４を流れている冷媒から熱エネルギーを吸収して温度が上昇し、放熱器２８を通過中に室内空気を加熱して温度が下がり、熱交換器２３に向かって流れる。
【００１８】
膨張弁２５が減圧状態であり、圧縮機１１から吐出された冷媒が、図６に示すように、四方弁１９、熱交換器１３、膨張弁２５、熱交換器２３及び四方弁１９を順に通過して圧縮機１１に流入し、かつ、熱媒水が熱媒水循環回路１７を循環している際、熱媒水循環回路１７を循環する熱媒水は、熱交換器２３を通過中にバイパス路２４を流れている冷媒へ熱エネルギーを与えて温度が低下した後、放熱器２８に送られ、放熱器２８を通過中に室内空気を冷却して温度上昇し、熱交換器２３に向かって流れる。
【００１９】
従って、放熱器２８は、熱媒水循環回路１７を循環する熱媒水が流れて室内空気を加熱又は冷却することとなる。以下、放熱器２８に熱媒水を流して行う室内空気の加熱を、放熱器２８による室内空気の加熱とも言い、放熱器２８に熱媒水を流して行う室内空気の冷却を、放熱器２８による室内空気の冷却とも言う。
また、本実施の形態では、熱媒水の放熱器２８の通過によって室内空気を冷却する際に放熱器２８の表面に結露（結露水）が生じる設計、及び、その結露を外部に排出する設計が採用されている。よって、放熱器２８は、熱媒水循環回路１７を循環する熱媒水によって室内空気の除湿を行う。即ち、放熱器２８による室内空気の冷却によって、室内空気の除湿も行われる。
【００２０】
そして、本実施の形態では、１）膨張弁１４を減圧状態にし、膨張弁２５を閉状態にして、熱交換器２３を冷媒が通過せず、冷媒が熱交換器１５を通過するようにすることによって、放熱器２８による室内空気の冷却及び除湿（又は加熱）を行わず、熱交換器１５による室内空気の冷却及び除湿（又は加熱）を行うことや、２）膨張弁１４を閉状態にし、膨張弁２５を減圧状態にして、冷媒が熱交換器２３を通過し、冷媒が熱交換器１５を通過しないようにすることによって、熱交換器１５による熱交換によって室内空気の冷却及び除湿（又は加熱）をせず、放熱器２８による室内空気の冷却及び除湿（又は加熱）を行うことができる。
【００２１】
更に、３）膨張弁１４、２５をいずれも減圧状態にして冷媒が熱交換器１５、２３の双方を流れるようにし、放熱器２８による室内空気の冷却及び除湿（又は加熱）を行っている状態で、熱交換器１５による室内空気の冷却及び除湿（又は加熱）を行うことが可能である。よって、本実施の形態において、冷房運転、暖房運転及び除湿運転それぞれには、１）熱交換器１５の熱交換のみによるもの、２）放熱器２８に熱媒水を流すことのみによるもの、３）熱交換器１５の熱交換及び放熱器２８に熱媒水を流すことによるものの３種類が存在する。
【００２２】
また、制御手段２２には、図４に示すように、室内の温度及び湿度を計測する温湿度センサ（温度計及び湿度計の一例）３１及び温調装置１０の利用者が温度調整や湿度調整の各入力操作（例えば、室内の設定温度や設定湿度を決定する入力操作）を行う操作盤３２が有線接続又は無線接続されている。制御手段２２は温湿度センサ３１の計測値（計測温度及び計測湿度）を得ることができ、操作盤３２に対してなされた入力操作に従って、圧縮機１１、膨張弁１４、２５、四方弁１９、ポンプ２９等の動作を制御する。
【００２３】
制御手段２２は、操作盤３２で冷房運転（除湿運転についても同様）を開始する入力操作がなされたのを検知すると、放熱器２８による室内空気の冷却（除湿）に比べて、室内空気の冷却レベル（除湿レベル）が高い熱交換器１５による室内空気の冷却（除湿）を、放熱器２８による室内空気の冷却（除湿）より優先して室内空気の冷却（即ち、温度調整）を開始させる。本実施の形態では、このとき、熱交換器１５による室内空気の冷却（除湿）のみが開始されるが、膨張弁２５、１４の双方を減圧状態にして、熱交換器１５による室内空気の冷却（除湿）と共に放熱器２８による室内空気の冷却（除湿）を行うようにしてもよい。即ち、冷房運転（除湿運転）の開始時は、放熱器２８による室内空気の冷却（除湿）のみを行うようにはしない。
【００２４】
冷房の設定温度をＴ１として、制御手段２２は、熱交換器１５による室内空気の冷却を行っている際、温湿度センサ３１の計測温度が、設置温度Ｔ１に予め定められた所定温度Ｊを加えた温度（Ｔ１＋Ｊ）以下であるの（になったの）を検知すると、１）放熱器２８による室内空気の冷却を行っていなかった場合、熱交換器１５による室内空気の冷却を冷却レベルを下げて継続しつつ又は停止し、放熱器２８による室内空気の冷却を開始し、２）放熱器２８による室内空気の冷却を行っていた場合、熱交換器１５による室内空気の冷却を冷却レベルを下げて継続しつつ又は停止し、放熱器２８による室内空気の冷却レベルを上げる。
【００２５】
これによって、室内に風が生じるのを抑制した状態、あるいは、室内に風が生じない状態で室内を冷房できるようになる。
Ｊは例えば１〜３℃である。
【００２６】
そして、制御手段２２は、放熱器２８による室内空気の冷却を行っている際に、温湿度センサ３１の計測温度が設定温度Ｔ１に予め設定された所定温度Ｐを加えた温度（Ｔ１＋Ｐ）以上であるのを検知して、１）熱交換器１５による室内空気の冷却を行っていなかった場合、放熱器２８による室内空気の冷却を停止し又は継続しつつ、熱交換器１５による室内空気の冷却を開始し、２）熱交換器１５による室内空気の冷却を行っていた場合、放熱器２８による室内空気の冷却を停止し又は継続しつつ、熱交換器１５による室内空気の冷却レベルを上げる。Ｐは、Ｐ≧Ｊで、例えば５〜１０℃である。なお、冷暖房を行っている室内に人が入室すること等によって、室内温度が大きく変化することがある。
【００２７】
また、設定湿度をＱとして、制御手段２２は、熱交換器１５による室内空気の冷却を行っている際に、温湿度センサ３１の計測湿度が設定湿度Ｑに予め設定された所定湿度Ｃを加えた湿度（Ｑ＋Ｃ）以下であるのを検知して、１）放熱器２８による室内空気の冷却を行っていなかった場合、熱交換器１５による室内空気の冷却を停止し又は冷却レベルを下げて継続し、放熱器２８による室内空気の冷却を開始し、２）放熱器２８による室内空気の冷却を行っていた場合、熱交換器１５による室内空気の冷却を停止し又は冷却レベルを下げて継続し、放熱器２８による室内空気の冷却レベルを上げるようにしてもよい。放熱器２８による室内空気の冷却によって室内空気の除湿も行えるため、室内に風が生じるのを抑制した状態、あるいは、室内に風が生じない状態で冷房と共に除湿を行えるようになる。Ｃは例えば３〜１０％である。
【００２８】
そして、制御手段２２は、放射器２８による室内空気の冷却（即ち、除湿を伴った冷却）を行っている際に、温湿度センサ３１の計測湿度が設定湿度Ｑに予め設定された所定湿度Ｅを加えた湿度（Ｑ＋Ｅ）以上であるのを検知して、１）熱交換器１５による室内空気の冷却を行っていなかった場合、放熱器２８による室内空気の冷却を停止し又は継続しつつ、熱交換器１５による室内空気の冷却（即ち、除湿を伴った冷却）を開始し、２）熱交換器１５による室内空気の冷却を行っていた場合、放熱器２８による室内空気の冷却を停止し又は継続しつつ、熱交換器１５による室内空気の冷却レベル（即ち、除湿レベル）を上げるようにしてもよい。これによって、室内の湿度を早急に下げて設定湿度Ｑに近付くようにすることができる。Ｅは、Ｅ≧Ｃで、例えば５〜２０％である。
【００２９】
更に、制御手段２２は、熱交換器１５による室内空気の除湿を行っている際に、温湿度センサ３１の計測温度が設定温度Ｔ１に予め設定された所定温度Ｍを加えた温度（Ｔ１＋Ｍ）以下であるのを検知して、１）放熱器２８による室内空気の冷却（即ち、除湿）を行っていなかった場合、熱交換器１５による室内空気の除湿を停止し又は除湿レベルを下げて継続し、放熱器２８による室内空気の冷却（即ち、除湿）を開始し、２）放熱器２８による室内空気の冷却（即ち、除湿）を行っていた場合、熱交換器１５による室内空気の除湿を停止し又は除湿レベルを下げて継続し、放熱器２８による室内空気の冷却レベル（即ち、除湿レベル）を上げる。これによって、室内に風が生じるのを抑制した状態、あるいは、室内に風が生じない状態で除湿を行えるようになる。Ｍは例えば１〜３℃である。
【００３０】
そして、制御手段２２は、熱交換器１５による室内空気の除湿を行っている際に、温湿度センサ３１の計測湿度が設定湿度Ｑに予め設定された所定湿度Ｇを加えた湿度（Ｑ＋Ｇ）以下であるのを検知して、１）放熱器２８による室内空気の冷却（即ち、除湿）を行っていなかった場合、熱交換器１５による室内空気の除湿を停止し又は除湿レベルを下げて継続し、放熱器２８による室内空気の冷却（即ち、除湿）を開始し、２）放熱器２８による室内空気の冷却（即ち、除湿）を行っていた場合、熱交換器１５による室内空気の除湿を停止し又は除湿レベルを下げて継続し、放熱器２８による室内空気の冷却レベル（即ち、除湿レベル）を上げるようにしてもよい。これによって、室内に風が生じるのを抑制した状態、あるいは、室内に風が生じない状態で除湿を行えるようになる。Ｇは例えば３〜１０％である。
【００３１】
また、制御手段２２は、放熱器２８による室内空気の除湿（冷却に伴った除湿）を行っている際に、温湿度センサ３１の計測温度が設定温度Ｔ１に予め設定された所定温度Ｎを加えた温度（Ｔ１＋Ｎ）以上であるのを検知して、１）熱交換器１５による室内空気の除湿を行っていなかった場合、放熱器２８による室内空気の除湿（冷却に伴った除湿）を停止し又は継続しつつ、熱交換器１５による室内空気の除湿（即ち、冷却）を開始し、２）熱交換器１５による室内空気の除湿（即ち、冷却）を行っていた場合、放熱器２８による室内空気の除湿（冷却に伴った除湿）を停止し又は継続しつつ、熱交換器１５による室内空気の除湿レベル（即ち、冷却レベル）を上げる。これによって、室内の温度を早急に下げて設定温度Ｔ１に近付くようにすることができる。Ｎは例えば５〜１０℃である。
【００３２】
制御手段２２は、放射器２８による室内空気の冷却（即ち、除湿を伴った冷却）を行っている際に、温湿度センサ３１の計測湿度が設定湿度Ｑに予め定められた所定湿度Ｈを加えた湿度（Ｑ＋Ｈ）以上であるのを検知して、１）熱交換器１５による室内空気の除湿を行っていなかった場合、放射器２８による室内空気の冷却（即ち、除湿を伴った冷却）を停止し又は継続しつつ、熱交換器１５による室内空気の除湿を開始し、２）熱交換器１５による室内空気の除湿を行っていた場合、放射器２８による室内空気の冷却（即ち、除湿を伴った冷却）を停止し又は継続しつつ、熱交換器１５による室内空気の除湿レベルを上げる。これによって、室内の湿度を早急に下げて設定湿度Ｑに近付くようにすることができる。Ｈは例えば５〜２０％である。
【００３３】
また、制御手段２２は、操作盤３２で暖房運転を開始する入力操作がなされたのを検知すると、放熱器２８による室内空気の加熱に比べて、室内空気の加熱レベルが高い熱交換器１５による室内空気の加熱を、放熱器２８による室内空気の加熱より優先して、室内の加熱（即ち、温度調整）を開始させる。本実施の形態では、このとき、熱交換器１５による室内空気の加熱のみが開始されるが、熱交換器１５による室内空気の加熱と共に放熱器２８による室内空気の加熱を行うようにしてもよい（即ち、放熱器２８による室内空気の加熱のみを行うようにはしない）。
【００３４】
暖房の設定温度をＴ２として、制御手段２２は、熱交換器１５による室内空気の加熱を行っている際に、温湿度センサ３１の計測温度が設定温度Ｔ２から予め定められた所定温度Ｋを差し引いた温度（Ｔ２−Ｋ）以上であるのを検知して、１）放熱器２８による室内空気の加熱を行っていなかった場合、熱交換器１５による室内空気の加熱を停止し又は加熱レベルを下げて継続し、放熱器２８による室内空気の加熱を開始し、２）放熱器２８による室内空気の加熱を行っていた場合、熱交換器１５による室内空気の加熱を停止し又は加熱レベルを下げて継続し、放熱器２８による室内空気の加熱レベルを上げる。これによって、室内に風が生じるのを抑制した状態、あるいは、室内に風が生じない状態で暖房を行えるようになる。Ｋは例えば１〜３℃である。
【００３５】
そして、制御手段２２は、放熱器２８による室内空気の加熱を行っている際に、温湿度センサ３１の計測温度が設定温度Ｔ２から予め定められた所定温度Ｌを差し引いた温度（Ｔ２−Ｌ）以下であるのを検知して、１）熱交換器１５による室内空気の加熱を行っていなかった場合、放熱器２８による室内空気の加熱を停止し又は継続しつつ、熱交換器１５による室内空気の加熱を開始し、２）熱交換器１５による室内空気の加熱を行っていた場合、放熱器２８による室内空気の加熱を停止し又は継続しつつ、熱交換器１５による室内空気の加熱レベルを上げる。これによって、室内の温度を早急に上げて設定温度Ｔ２に近付くようにすることができる。Ｌは、Ｌ≧Ｋで、例えば５〜１０℃である。
【００３６】
更に、制御手段２２は、熱交換器１５による室内空気の加熱を行っている際に、温湿度センサ３１の計測湿度（温湿度センサ３１によって計測される相対湿度）が設定湿度Ｑに所定湿度Ｄを加えた湿度（Ｑ＋Ｄ）以下であるのを検知して、１）放熱器２８による室内空気の加熱を行っていなかった場合、熱交換器１５による室内空気の加熱を停止し又は加熱レベルを下げて継続し、放熱器２８による室内空気の加熱を開始し、２）放熱器２８による室内空気の加熱を行っていた場合、熱交換器１５による室内空気の加熱を停止し又は加熱レベルを下げて継続し、放熱器２８による室内空気の加熱レベルを上げるようにしてもよい。これによって、室内に風が生じるのを抑制した状態、あるいは、室内に風が生じない状態で暖房を行えるようになる。室内の湿度（相対湿度）は室内空気の加熱により低下することから、このケースでは、計測温度を基にする代わりに計測湿度を基にして暖房運転の制御を行う。Ｄは例えば３〜１０％である。
【００３７】
そして、制御手段２２は、放熱器２８による室内空気の加熱を行っている際に、温湿度センサ３１の計測湿度が設定湿度Ｑに所定湿度Ｆを加えた湿度（Ｑ＋Ｆ）以上であるのを検知して、１）熱交換器１５による室内空気の加熱を行っていなかった場合、放熱器２８による室内空気の加熱を停止し又は加熱レベルを下げて継続し、熱交換器１５による室内空気の加熱を開始し、２）熱交換器１５による室内空気の加熱を行っていた場合、放熱器２８による室内空気の加熱を停止し又は加熱レベルを下げて継続し、熱交換器１５による室内空気の加熱レベルを上げるようにしてもよい。Ｆは、Ｆ≧Ｄで、例えば５〜２０％である。
【００３８】
また、上記の所定温度Ｊ、Ｋ、Ｐ、Ｌ、Ｍ、Ｎを、室内の湿度の高低によって変わる変数にして、室内の湿度に応じて適した値を所定温度Ｊ、Ｋ、Ｐ、Ｌ、Ｍ、Ｎに適用するように設計してもよいし、上記の所定湿度Ｃ、Ｅ、Ｇ、Ｈ、Ｄ、Ｆを、室内の温度の高低によって変わる変数にして、室内の温度に応じて適した値を所定湿度Ｃ、Ｅ、Ｇ、Ｈ、Ｄ、Ｆに適用するように設計してもよい。
【００３９】
そして、本実施の形態では、クロスフローファン２１の作動により、放熱器２８が設置されている室内空間に風を生じさせることができる。放熱器２８による室内空気の加熱又は冷却が行われる際、クロスフローファン２１を作動して、室内に風を生じさせ、放熱器２８による室内空気の温度調整を促進するようにしている。なお、放熱器２８による室内空気の温度調整を促進するファンは、放熱器２８が設置されている室内空間に風を生じさせるものであれば、クロスフローファン２１に限定されない。
【００４０】
以上、本発明の実施の形態を説明したが、本発明は、上記した形態に限定されるものでなく、要旨を逸脱しない条件の変更等は全て本発明の適用範囲である。
例えば、平行配置された複数のパイプを有する輻射部材の代わりに、１本のパイプを有する輻射部材を採用してもよい。
また、制御手段は、室内の温度調整が開始される際、第２の熱交換器の熱交換による室内空気の加熱又は冷却を、輻射部材に熱媒水を流して行う室内空気の加熱又は冷却より優先させなくてもよい。
【００４１】
そして、輻射部材に熱媒水を流して室内空気の冷却又は加熱を行っている際に、温度計の計測温度と設定温度の関係に応じて、輻射部材に熱媒水を流して行う室内空気の冷却又は暖房を停止する必要はない。
更に、第２の熱交換器は室内空気の加熱及び冷却の一方のみを行うものであってもよい。第２の熱交換器が室内空気の加熱のみを行う場合、輻射部材は室内空気の加熱のみを行うものであってもよく、第２の熱交換器が室内空気の冷却のみを行う場合、輻射部材は室内空気の冷却のみを行うものであってもよい。
【００４２】
更に、第２の熱交換器は屋外に設置されている筺体内に設けられていてもよく、その場合、当該筺体内にダクトを介して取り込まれた室内空気を加熱又は冷却し、ダクトを介して室内に送り込むように設計される。また、圧縮機及び膨張弁は室外機内に設ける必要はなく、例えば、室内機内に設けてもよい。
また、制御手段に温湿度センサを接続する代わりに、室内温度のみを計測する温度計及び室内湿度のみを計測する湿度計を制御手段に接続するようにしてもよい。
そして、第２の熱交換器又は輻射部材が除湿を行わない場合、室内湿度を計測するための設計は不要である。
【符号の説明】
【００４３】
１０：温調装置、１１：圧縮機、１２：室外機、１３：熱交換器、１４：膨張弁、１５：熱交換器、１６：冷媒循環回路、１７：熱媒水循環回路、１８：室内機、１９：四方弁、２０：プロペラファン、２１：クロスフローファン、２２：制御手段、２３：熱交換器、２４：バイパス路、２５：膨張弁、２６：アキュムレータ、２８：放熱器、２９：ポンプ、３０：タンク、３１：温湿度センサ、３２：操作盤
【図１】
2020070940.tif 000003
【図２】
2020070940.tif 000004
【図３】
2020070940.tif 000005
【図４】
2020070940.tif 000006
【図５】
2020070940.tif 000007
【図６】
2020070940.tif 000008